(57)【要約】      （修正有）【課題】複数の用紙収容部を備えた記録装置について、特にユーザインタフェース面においてユーザビリティのより一層の向上を図る。【解決手段】プリンターは、下段側トレイと、この下段側トレイの上部に設けられた上段側トレイと、を備えている。プリンタドライバは、上下トレイのうちいずれのトレイの情報を設定するかを選択するトレイ選択項目であるドロップダウンリスト２０４の表示を、検出した給送可能状態であるトレイに設定し、更に給送可能状態であるトレイ内の用紙有無に関する情報を表示２０３に表示する。【選択図】図１２
2016049661.tif 000002
【特許請求の範囲】
【請求項１】
媒体に記録を行う記録装置に設けられた、媒体を収容する複数段のトレイに収容された媒体の情報を設定するためのユーザインタフェースの表示を制御するユーザインタフェース制御機能を備え、
前記ユーザインタフェース制御機能が、前記複数段のトレイのうち、いずれが給送可能状態であるかを検出するトレイ検出手段の検出情報、および前記給送可能状態であるトレイ内の媒体の有無を検出する媒体検出手段の検出情報に基づき、
前記複数段のトレイのうちいずれのトレイの情報を設定するかを選択するトレイ選択項目の表示を前記給送可能状態であるトレイに設定し、更に前記給送可能状態であるトレイ内の媒体の有無に関する情報を表示させる、
ことを特徴とするプリンタドライバプログラム。
【請求項２】
請求項１に記載のプリンタドライバプログラムにおいて、前記給送可能状態であるトレイ内の媒体を検出しない場合、その旨の情報を警告表示する、
ことを特徴とするプリンタドライバプログラム。
【請求項３】
請求項２に記載のプリンタドライバプログラムにおいて、前記警告表示は、前記給送可能状態であるトレイ内の媒体が無い旨の情報の点滅表示である、
ことを特徴とするプリンタドライバプログラム。
【請求項４】
請求項１に記載のプリンタドライバプログラムにおいて、前記給送可能状態であるトレイ内の媒体を検出しない場合、前記給送可能状態であるトレイに関する情報の設定を禁止する、
ことを特徴とするプリンタドライバプログラム。
【請求項５】
請求項１から請求項４のいずれか一項に記載のプリンタドライバプログラムにおいて、前記複数段のトレイのうち少なくともいずれかが挿抜された場合、媒体の情報を設定するための前記ユーザインタフェースを表示させる、
ことを特徴とするプリンタドライバプログラム。
【請求項６】
請求項５に記載のプリンタドライバプログラムにおいて、前記挿抜されたトレイの媒体のサイズ或いは種類を変更したか否かをユーザーに問い合わせ、
前記問い合せの結果、否の情報を受けた場合に、前記給送可能状態であるトレイが前回媒体の情報を設定した際のトレイと同じであって且つ前記給送可能状態であるトレイ内の媒体を検出した場合、前回設定した媒体の情報を引き継ぐ、
ことを特徴とするプリンタドライバプログラム。
【請求項７】
媒体に記録を行う記録装置を制御する、請求項１から請求項６のいずれか一項に記載の前記プリンタドライバプログラムを備えた制御装置。
【請求項８】
媒体に記録を行う記録手段と、
請求項７に記載の制御装置と、
を備えた記録装置。
【請求項９】
請求項８に記載の記録装置において、前記複数段のトレイは、下段側トレイ、及び当該下段側トレイの上部に位置する上段側トレイにより構成され、
前記上段側トレイは、スライド操作可能に設けられ、
前記上段側トレイのスライドにより、前記下段側トレイから媒体が給送可能となる状態と、前記上段側トレイから媒体が給送可能となる状態と、が切り換わる、
ことを特徴とする記録装置。
【請求項１０】
請求項９に記載の記録装置において、前記上段側トレイに収容可能な媒体の最大サイズは、前記下段側トレイに収容可能な媒体の最大サイズより小さい、
ことを特徴とする記録装置。
【請求項１１】
請求項１０に記載の記録装置において、所定サイズの媒体が、前記下段側トレイ及び前記上段側トレイの双方にセット可能である、
ことを特徴とする記録装置。
【発明の詳細な説明】
【技術分野】
【０００１】
本発明は、媒体を収容する複数段のトレイに収容された媒体の情報を設定するためのユーザインタフェースを提供するプリンタドライバプログラムに関する。また本発明は、前記プリンタドライバプログラムを備える制御装置、及び当該制御装置を備えた、ファクシミリやプリンター等に代表される記録装置に関する。
【背景技術】
【０００２】
ファクシミリやプリンターに代表される記録装置においては、装置本体に対して着脱可能な用紙カセット（トレイ）が従来から広く用いられている。また、その中でも特許文献１や特許文献２に示されるように、複数のカセット、即ち複数の用紙収容部を備えた記録装置も従来から知られている。特に特許文献１及び特許文献２には、上下に用紙収容部を備えた一体型の用紙カセットが開示されている。この用紙カセットでは、上部の用紙カセットが下部の用紙カセットに対してスライド可能に設けられており、上部の用紙カセットの位置に応じて、下部の用紙カセットから給紙可能となるか、或いは上部の用紙カセットが給紙可能となるか、のいずれかを選択できる様になっている。
【０００３】
ところでユーザーから設定の変更を受け付け、変更された設定に従って各種記録制御を行うプリンタドライバがある。上記の様な複数の用紙収容部を備えた記録装置に対するプリンタドライバは、上下いずれのカセットから用紙の給紙を行うかを選択するカセット選択項目を、記録条件を設定するためのユーザインタフェース（ＵＩ）に表示させ、そしてユーザーにより設定されたカセットから用紙の給紙を行う様になっている。
【０００４】
また、記録条件を設定するためのユーザインタフェースでは、複数のカセットのうち使用するカセットの選択のほか、用紙サイズや記録品質の設定などが行えるようになっている。
【先行技術文献】
【特許文献】
【０００５】
【特許文献１】特開２００６−２７３５６５号公報
【特許文献２】特開２００７−９１４４５号公報
【発明の概要】
【発明が解決しようとする課題】
【０００６】
記録装置においては、従来から、カセットの装着状態を検出するセンサーや、カセット内の用紙有無を検出するセンサーなどが設けられる場合がある。しかしながら上記特許文献１、２のような、全てのカセットが同時に給送可能状態になるのではなく、いずれか一のカセットのみが給送可能な状態となる構造では、給送可能な状態にあるカセットの情報を適切にユーザーに知らせることが重要となる。
【０００７】
即ち、従来の記録装置においては、使用可能なカセットと、該使用可能なカセットにおける用紙の有無との関係性（結び付き）が考慮されておらず、ユーザーにとって必要な情報が提供されているとは必ずしも言えなかった。  
また特に、例えば用紙がない状態で、ユーザーが記録条件を設定するためのＵＩに設定条件を入力した場合、現にカセットに収容された用紙に基づく情報ではないため、ユーザーの認識している用紙に基づく情報ではない用紙情報が設定されてしまう虞があった。
【０００８】
そこで本発明はこの様な状況に鑑みなされたものであり、その目的は、複数の用紙収容部を備えた記録装置について、特にユーザインタフェース面においてユーザビリティのより一層の向上を図ることにある。  
尚、記録装置において用紙を収容する用紙収容部の呼称としては、「カセット」「トレイ」など種々のものがあるが、本明細書においては主に「トレイ」の用語を用いることとする。
【課題を解決するための手段】
【０００９】
上記課題を解決する為の、本発明の第１の態様に係るプリンタドライバプログラムは、媒体に記録を行う記録装置に設けられた、媒体を収容する複数段のトレイに収容された媒体の情報を設定するためのユーザインタフェースの表示を制御するユーザインタフェース制御機能を備え、前記ユーザインタフェース制御機能が、前記複数段のトレイのうち、いずれが給送可能状態であるかを検出するトレイ検出手段の検出情報、および前記給送可能状態であるトレイ内の媒体の有無を検出する媒体検出手段の検出情報に基づき、前記複数段のトレイのうちいずれのトレイの情報を設定するかを選択するトレイ選択項目の表示を前記給送可能状態であるトレイに設定し、更に前記給送可能状態であるトレイ内の媒体の有無に関する情報を表示することを特徴とする。
【００１０】
本態様によれば、プリンタドライバプログラムが備えるユーザインタフェース情報（以下、適宜「ＵＩ情報」と略称する場合がある）制御機能は、前記複数段のトレイのうちいずれのトレイの情報を設定するかを選択するトレイ選択項目の表示を、検出した給送可能状態であるトレイに設定し、更に前記給送可能状態であるトレイ内の媒体の有無に関する情報を表示するので、ＵＩ情報においてユーザーが使用を予定するトレイ（ユーザーが使用する可能性が高いトレイ）をその都度選択する必要がないとともに、給送可能な状態にあるトレイの情報（いずれのトレイが給送可能状態にあるか、およびそのトレイの媒体有無）をユーザーに知らせることができ、ユーザビリティのより一層の向上を図ることができる。
【００１１】
本発明の第２の態様は、第１の態様において、前記給送可能状態であるトレイ内の媒体を検出しない場合、その旨の情報を警告表示することを特徴とする。
【００１２】
本態様によれば、前記給送可能状態であるトレイ内の媒体を検出しない場合、その旨の情報を警告表示するので、ユーザビリティのより一層の向上を図ることができる。
【００１３】
本発明の第３の態様は、第２の態様において、前記警告表示は、前記給送可能状態であるトレイ内の媒体が無い旨の情報の点滅表示であることを特徴とする。
【００１４】
本態様によれば、前記警告表示は、前記給送可能状態であるトレイ内の媒体が無い旨の情報の点滅表示であるので、前記給送可能状態であるトレイ内に媒体が無い旨をより一層明確に警告することができる。
【００１５】
本発明の第４の態様は、第１の態様において、前記給送可能状態であるトレイ内の媒体を検出しない場合、前記給送可能状態であるトレイに関する情報の設定を禁止することを特徴とする。
【００１６】
前記給送可能状態であるトレイ内の媒体を検出しない場合は、ユーザーによる操作ミスの虞がある。本態様によれば、前記給送可能状態であるトレイ内の媒体を検出しない場合、前記給送可能状態であるトレイに関する情報の設定を禁止するので、ユーザーの操作ミスによる情報の誤設定の防止を図ることができる。即ち、ユーザーの認識している媒体に基づく情報ではない媒体情報が設定されてしまうことを防止できる。
【００１７】
本発明の第５の態様は、第１から第４の態様のいずれかにおいて、前記複数段のトレイのうち少なくともいずれかが挿抜された場合、媒体の情報を設定するための前記ユーザインタフェースを表示させることを特徴とする。
【００１８】
本態様によれば、前記複数段のトレイのうち少なくともいずれかが挿抜された場合、媒体の情報を設定するための前記ユーザインタフェースを表示させるので、前記トレイの挿抜の際にユーザーがその都度プリンタドライバプログラムを起動させる必要がなく、ユーザビリティのより一層の向上を図ることができる。
【００１９】
本発明の第６の態様は、第５の態様において、前記挿抜されたトレイの媒体のサイズ或いは種類を変更したか否かをユーザーに問い合わせ、前記問い合せの結果、否の情報を受けた場合に、前記給送可能状態であるトレイが前回媒体の情報を設定した際のトレイと同じであって且つ前記給送可能状態であるトレイ内の媒体を検出した場合、前回設定した媒体の情報を引き継ぐことを特徴とする。
【００２０】
挿抜されたトレイの媒体のサイズ或いは種類を変更したか否かをユーザーに問い合わせ、前記問い合せの結果、否の情報を受けた場合に、前記給送可能状態であるトレイが前回媒体の情報を設定した際のトレイと同じであって且つ前記給送可能状態であるトレイ内の媒体を検出した場合は、トレイに関する情報を設定する必要がない。そこで本態様では、この様な場合は前回設定した情報を引き継ぐので、ユーザーに余計な設定操作を強いることを回避できる。
【００２１】
本発明の第７の態様は、媒体に記録を行う記録装置を制御する、第１から第６の態様のいずれかに係る前記プリンタドライバプログラムを備えた制御装置である。  
本態様によれば、媒体に記録を行う記録装置を制御する制御装置において、上述した第１から第６の態様のいずれかと同様な作用効果を得ることができる。
【００２２】
本発明の第８の態様は、媒体に記録を行う記録手段と、第７の態様に係る制御装置と、を備えた記録装置である。  
本態様によれば、媒体に記録を行う記録装置において、上述した第１から第６の態様のいずれかと同様な作用効果を得ることができる。
【００２３】
本発明の第９の態様は、第８の態様において、前記複数段のトレイは、下段側トレイ、及び当該下段側トレイの上部に位置する上段側トレイにより構成され、前記上段側トレイは、スライド操作可能に設けられ、前記上段側トレイのスライドにより、前記下段側トレイから媒体が給送可能となる状態と、前記上段側トレイから媒体が給送可能となる状態と、が切り換わることを特徴とする。
【００２４】
本態様によれば、前記複数段のトレイが、下段側トレイ、及び当該下段側トレイの上部に位置する上段側トレイにより構成される場合において、上述した第１から第４のいずれかの態様と同様な作用効果を得ることができる。
【００２５】
本発明の第１０の態様は、第９の態様において、前記上段側トレイに収容可能な媒体の最大サイズは、前記下段側トレイに収容可能な媒体の最大サイズより小さいことを特徴とする。
【００２６】
本発明の第１１の態様は、第１０の態様において、所定サイズの媒体が、前記下段側トレイ及び前記上段側トレイの双方にセット可能であることを特徴とする。
【図面の簡単な説明】
【００２７】
【図１】本発明に係るプリンターの外観斜視図。
【図２】本発明に係るプリンターの用紙搬送経路を示す側断面図。
【図３】本発明に係るプリンターの用紙搬送経路を示す側断面図。
【図４】本発明に係るプリンターの用紙搬送経路を示す側断面図。
【図５】上段側トレイ及び下段側トレイの一実施形態を示す斜視図。
【図６】上段側トレイ及び下段側トレイの一実施形態を示す斜視図。
【図７】上段側トレイ及び下段側トレイの一実施形態を示す斜視図。
【図８】他の実施形態に係るプリンターの用紙搬送経路を示す側断面図。
【図９】本発明に係るプリンターの制御系統を示すブロック図。
【図１０】トレイが挿抜された際の制御の流れを示すフローチャート。
【図１１】トレイが挿抜された際の制御の流れを示すフローチャート。
【図１２】本発明に係るプリンタドライバプログラムによって提供されるユーザインタフェースの一例を示す図。
【図１３】本発明に係るプリンタドライバプログラムによって提供されるユーザインタフェースの一例を示す図。
【図１４】（Ａ）、（Ｂ）はトレイ内の用紙有無を検出する用紙検出手段の一実施形態を示す、トレイ側断面図。
【図１５】ローラー支持部材と用紙検出手段の位置関係の一実施例を示す斜視図。
【図１６】ローラー支持部材と用紙検出手段の位置関係の一実施例を示す斜視図。
【図１７】（Ａ）、（Ｂ）はトレイ内の用紙有無を検出する用紙検出手段の一実施形態を示す、トレイ側断面図。
【図１８】給送可能状態であるトレイを検出するトレイ検出手段の一実施形態を示す、トレイ側断面図。
【図１９】（Ａ）、（Ｂ）は給送可能状態であるトレイを検出するトレイ検出手段の一実施形態を示す、トレイ側断面図。
【図２０】（Ａ）、（Ｂ）は給送可能状態であるトレイを検出するトレイ検出手段の一実施形態を示す、トレイ側断面図。
【図２１】給送可能状態であるトレイを検出するトレイ検出手段の一実施形態を示す、トレイ斜視図。
【図２２】給送可能状態であるトレイを検出するトレイ検出手段の一実施形態を示す、トレイ斜視図。
【図２３】給送可能状態であるトレイを検出するトレイ検出手段の一実施形態を示す、トレイ斜視図。
【図２４】（Ａ）、（Ｂ）は給送可能状態であるトレイを検出するトレイ検出手段の一実施形態を示す、トレイ側断面図。
【図２５】（Ａ）、（Ｂ）は給送可能状態であるトレイを検出するトレイ検出手段の一実施形態を示す、トレイ側断面図。
【発明を実施するための形態】
【００２８】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２９】
尚、以下では、本発明の実施形態を以下の順に説明する。  
１．プリンターの全体構成  
２．トレイのバリエーション  
３．プリンタドライバプログラム  
４．トレイ内の用紙有無を検出する用紙検出手段  
５．給送可能状態であるトレイを検出するトレイ検出手段  
尚、以下では複数の実施形態を説明するが、同一の構成要素には適宜同じ符号を付し、重複する説明は適宜省略する。
【００３０】
■■■１．プリンターの全体構成■■■■■■■■■■■■■■■■■■■■■■■■
以下、図１〜図９を参照しつつ本発明の記録装置の一実施形態であるプリンター１の全体構成について概説する。ここで、図１は本発明に係るプリンター１の外観斜視図、図２〜図４はプリンター１の用紙搬送経路を示す側断面図である。  
また図５〜図７は上段側トレイ及び下段側トレイの一実施形態を示す斜視図、図８は他の実施形態に係るプリンターの用紙搬送経路を示す側断面図、図９は本発明に係るプリンターの制御系統を示すブロック図である。
【００３１】
プリンター１は、媒体の一例としての記録用紙にインクジェット記録を行う装置本体（記録部）２の上部にスキャナユニット３を備えており、即ちインクジェット記録機能に加えてスキャナ機能を備える複合機として構成されている。
【００３２】
スキャナユニット３は、装置本体２に対して回動可能に設けられており、回動することにより、閉じた状態（図１）と開いた状態（不図示）とをとり得る。  
スキャナユニット３において上部のカバー４は開閉可能なカバーであり、当該カバー４を開放することにより、スキャナユニット３の原稿台３ａ（図２〜図４）が表れる様になっている。
【００３３】
装置前面において符号５は、電源ボタンや各種印刷設定・記録実行を行う操作ボタン、印刷設定内容や印刷画像のプレビュー表示などを行う表示部、等を備えて成る操作パネルである。尚、図９に示す表示部６８及び操作設定部６９は、それぞれ操作パネル５に設けられた表示部及び操作設定部である。前記操作ボタンは、機械的押しボタン構造に限らず、所謂タッチパネルで構成することもできる。
【００３４】
また、装置前面において符号５２は下段側トレイ５０に設けられた開閉可能なカバーであり、図１に示す様に当該カバー５２を開くことにより、媒体収容部を構成する下段側トレイ５０及び上段側トレイ５５と、排紙受けトレイ８と、のこれらが露呈する様に構成されている。
【００３５】
排紙受けトレイ８は、図示しないモーターによって装置本体２に収納された状態（図１）と、装置本体２の前方側に突出した状態（図２〜図４）と、を取りうる様に設けられており、装置本体２の前方側に突出した状態となることで、記録が行われて排出される記録用紙を受けることができる。
【００３６】
複数枚の記録用紙を収容可能な下段側トレイ５０及び上段側トレイ５５は、媒体を収容する媒体収容部であり、即ちプリンター１の媒体収容部は複数の用紙トレイにより構成される。下段側トレイ５０と、その上部に設けられる上段側トレイ５５は、それぞれが独立して装置本体２に対して着脱可能となっている。また、一方側が未装着状態であっても、他方側が装着されていれば、当該装着されているトレイから記録用紙を送り出すことができる様になっている。但し、下段側トレイと上段側トレイは、別体ではなく一体に構成することもでき、その形態の一例については、後に説明する。
【００３７】
上段側トレイ５５は、装置本体２に装着された状態において待避位置（図３）と突き当たり位置（給送可能位置：図２）との間をスライド変位可能に様に設けられている。例えば、上段側トレイ５５から給紙する印刷ジョブを実行する場合、ユーザーは、上段側トレイ５５を図２に示す突き当たり位置に位置決めする。また、下段側トレイ５０から給紙する印刷ジョブを実行する場合、ユーザーは、上段側トレイ５５を図３に示す退避位置に位置決めする。
【００３８】
続いて図１に戻り、装置本体２の後方上部において符号６は開閉可能な手差しカバーであり、この手差しカバー６を開くことにより、手差しトレイ７（図２〜図４）を利用した記録用紙の手差しでの給紙が行える様になっている。
【００３９】
続いて、図２〜図４を参照しつつプリンター１の用紙搬送経路について説明する。本実施形態に係るプリンター１は、装置底部に上述の下段側トレイ５０及び上段側トレイ５５を備え、当該下段側トレイ５０或いは上段側トレイ５５から記録用紙を１枚ずつ給送する。上段側トレイ５５は、上述した様に突き当たり位置、即ち給送可能位置（図２）と、退避位置(図３）との間をスライド（変位）可能となっている。
【００４０】
図２〜図４においては、下段側トレイ５０に収容される用紙を符号Ｐ１で、上段側トレイ５５に収容される用紙を符号Ｐ２で、それぞれ示している（以下、特に区別する必要がない場合は「用紙Ｐ」或いは「用紙」と言う）。また、図２における破線は上段側トレイ５５から送り出される用紙Ｐ２の通過軌跡を示し、図３における破線は下段側トレイ５０から送り出される用紙Ｐ１の通過軌跡を示している。
【００４１】
不図示の駆動モーターによって回転駆動される、給送手段を構成する給送ローラー９は、回動軸１２を中心に揺動する揺動部材或いは給送部材としてのローラー支持部材１１に設けられており、上段側トレイ５５が退避位置にあるときは（図３）、下段側トレイ５０に収容された用紙Ｐ１の最上位のものと接して回転することにより、当該最上位の用紙Ｐ１を下段側トレイ５０から送り出す。
【００４２】
また上段側トレイ５５が突き当たり位置（給送可能位置：図２）にあるとき、給送ローラー９は上段側トレイ５５に収容された用紙Ｐ２の最上位のものと接して回転することにより、当該最上位の用紙Ｐ２を上段側トレイ５５から送り出す。
【００４３】
尚、本実施形態では回動軸１２はローラー支持部材１１の揺動軸を構成するとともに、不図示のモーターの動力を受けて回転することで、図１５に示す様に回動軸１２に設けられた伝達歯車１３から、歯車輪列１４を介し、給送ローラー９と一体に設けられた被伝達歯車１５へと動力を伝達する。即ち回動軸１２は給送ローラー９が回転するための動力を伝達すると同時に、ローラー支持部材１１が揺動する為の動力も伝達する。  
尚、本実施形態では給送ローラー９は被伝達歯車１５を挟んで両側に設けられている。給送ローラー９はこの様に複数設けられるので、用紙を確実に給送することができる。  
但し、給送ローラー９は必ずしも被伝達歯車１５及び歯車輪列１４の両側に設けられる必要はなく、一方側に設けられていても良い。また、給送ローラー９へ動力を伝達する手段は、歯車ではなく、ベルトなどの他の機構を用いても良い。
【００４４】
ところで、各トレイには用紙のサイドエッジをガイドするエッジガイドが設けられている。下段側トレイ５０においては、図５に示す様にエッジガイド５３Ａ、５３Ｂが設けられている。これらエッジガイド５３Ａ、５３Ｂにより、用紙のサイドエッジが規制される。尚、符号５４は、用紙後端エッジを規制するエッジガイドである。  
上段側トレイ５５においても同様に、エッジガイド５７Ａ、５７Ｂが設けられている。
【００４５】
ここで本実施形態では、給送ローラー９が、用紙送り出し方向と交差する方向である用紙幅方向（ｘ方向）において、各トレイの中央部に位置している。即ちセンター基準での給紙であり、このため各エッジガイドはトレイ中央部を基準にして互いに近接及び離間する方向に連動して変位する様に設けられている。具体的には、下段側トレイ５０においてエッジガイド５３Ａ、５３Ｂは、ｘ方向においてトレイ中央部を基準にして互いに近接及び離間する方向に連動して変位する様に設けられている。また、上段側トレイ５５においても同様に、エッジガイド５７Ａ、５７Ｂは、ｘ方向においてトレイ中央部を基準にして互いに近接及び離間する方向に連動して変位する様に設けられている。
【００４６】
尚、図５において符号４８ａは、下段側トレイ５０の底面５０ａにおいて給送基準位置に設けられた摩擦部材であり、また符号４８ｂは、上段側トレイ５５の底面５５ａにおいて給送基準位置に設けられた摩擦部材である。この摩擦部材４８ａ、４８ｂは、コルク、ゴムなどの、用紙との間で高い摩擦係数を発揮する高摩擦部材であり、用紙給送時に用紙束ごと下流側に送り出されないように、各トレイに収容された用紙束を保持する。
【００４７】
また、本実施形態において、上段側トレイ５５に収容可能な最大サイズの用紙サイズは、下段側トレイ５０に収容可能な最大サイズの用紙サイズよりも小さい。例えば、上段側トレイ５５に収容可能な最大サイズの用紙の一例は２Ｌサイズ（１２７ｍｍ×１７８ｍｍ）であり、下段側トレイ５０に収容可能な最大サイズの用紙の一例はレターサイズ（２１５．９ｍｍ×２７９．４ｍｍ）である。  
また、所定サイズの用紙は、下段側トレイ５０及び上段側トレイ５５の双方にセット可能であり、例えば上記２Ｌサイズ用紙は、下段側トレイ５０及び上段側トレイ５５の双方にセット可能である。
【００４８】
続いて図２〜図４に戻り、装置本体２において下段側トレイ５０及び上段側トレイ５５の先端と対向する位置には分離部２ｃが設けられており、この分離部２ｃには分離斜面１６が設けられている。下段側トレイ５０が装着された状態では、下段側トレイ５０の先端に設けられたストッパー５１が、分離斜面１６より奥方（図３において左側）に入り込み、下段側トレイ５０に収容された用紙先端が分離斜面１６と当接可能な状態となる。
【００４９】
また上段側トレイ５５においては、当該上段側トレイ５５が給送可能位置に位置決めされた状態において、上段側トレイ５５の先端に設けられたストッパー５６が、分離斜面１６より奥方に入り込み、上段側トレイ５５に収容された用紙先端が分離斜面１６と当接可能な状態となる。
【００５０】
そして下段側トレイ５０或いは上段側トレイ５５から送り出される用紙Ｐは、その先端が分離斜面１６に接しながら下流側に進むことで、給送されるべき最上位の用紙Ｐと次位以降の用紙Ｐとの分離が行われる。
【００５１】
分離斜面１６の先には、図示しないモーターによって回転駆動される中間ローラー１７が設けられており、この中間ローラー１７によって用紙Ｐは湾曲反転させられ、装置前方側へと向かう。尚、符号１８Ａ、１８Ｂ、１８Ｃ、１８Ｄは従動回転可能な従動ローラーであり、少なくとも用紙Ｐは、従動ローラー１８Ａと中間ローラー１７とによってニップされ、また従動ローラー１８Ｂと中間ローラー１７とによってニップされて、下流側へと送られる。
【００５２】
中間ローラー１７の先には、図示しないモーターによって回転駆動される搬送駆動ローラー１９と、該搬送駆動ローラー１９に接して従動回転する搬送従動ローラー２０とが設けられており、これらローラーによって用紙Ｐが、記録手段を構成する記録ヘッド２３の下へと送られる。
【００５３】
続いてインクを吐出する記録ヘッド２３はキャリッジ２２の底部に設けられ、当該キャリッジ２２は図示しないモーターによって主走査方向（ｘ方向）に往復動する様に駆動される。  
記録ヘッド２３と対向する位置には支持部材２１が設けられ、当該支持部材２１によって、用紙Ｐと記録ヘッド２３との間の間隔が規定される。そして支持部材２１の下流側には、図示しないモーターによって回転駆動される排出駆動ローラー２４と、当該排出駆動ローラー２４に接して従動回転する排出従動ローラー２５とが設けられている。記録ヘッド２３によって記録の行われた用紙Ｐは、これらローラーにより、上述した排紙受けトレイ８へ向けて排出される。
【００５４】
上述した給送ローラー９、中間ローラー１７、搬送駆動ローラー１９、キャリッジ２２、記録ヘッド２３、排出駆動ローラー２４、のこれら制御対象は、図９に示す、制御手段としての制御部６６によって制御される記録機構部６７を構成する。
【００５５】
尚、図２〜図４において中間ローラー１７と搬送駆動ローラー１９との間には符号２６で示す案内部材が設けられている。この案内部材２６は中間ローラー１７と、搬送駆動ローラー１９との間の用紙搬送経路を形成する。また符号２７は案内部材２６と搬送駆動ローラー１９との間の用紙搬送経路を形成する案内部材である。また符号１８Ｄは、両面印刷の為に搬送駆動ローラー１９から上流側（図４において左側）にスイッチバックされる用紙を中間ローラー１７との間でニップする従動ローラーである。
【００５６】
即ち図４の破線に示す様に、記録の行われた用紙が搬送駆動ローラー１９によりバックフィードされ、中間ローラー１７と従動ローラー１８Ｄとでニップされて、上段側トレイ５５或いは下段側トレイ５０から送り出された用紙と同様な経路を辿り、記録面を下側にして反転された状態で、再び記録位置へと搬送される。これにより、記録の行われた第１面に対し反対側の第２面への記録が実行可能となる。
【００５７】
尚、用紙を反転させる為の経路は、図４に示す形態のほか、図８に示す様に支持部材２１の下側を通って再び各トレイからの給送経路に合流させる形態も採用可能である。図８において符号８１は第２排出駆動ローラー、符号８２は第２排出従動ローラーであり、また符号８０は経路切り換え部材である。第１面（おもて面）に記録が行われる際、経路切り換え部材８０は支持部材２１の下側を通る経路を閉じる姿勢をとっている。
【００５８】
そして用紙後端が経路切り換え部材８０の位置を通過した後、第２排出駆動ローラー８１は逆転駆動され、用紙をバックフィードさせる。その際、経路切り換え部材８０は、支持部材２１の下側を通る経路を開放する姿勢をとる（図８の状態）。これにより、用紙後端は下側経路へと入り込む。そして図８において破線で示すように、第１面（おもて面）に記録の行われた用紙が反転させられ、第２面（うら面）を上にした状態で再び記録位置へと送られる。  
この様に用紙の両面に記録を行う為に用紙を反転させる経路は種々の形態を採用することができる。またその際、媒体収容部である下段側トレイ及び上段側トレイも種々の形態をとることができる。
【００５９】
■■■２．トレイのバリエーション■■■■■■■■■■■■■■■■■■■■■■  
より詳しくは、各トレイはそれぞれ上述した符号５０、５５で示されるトレイ、即ち各トレイが別体に構成されるもののほか、図６において符号１００で示されるトレイや、図７において符号１１０で示されるトレイ、即ち各トレイが一体に構成されたものを採用することができる。
【００６０】
以下、図６、図７に示されるトレイ構成について説明する。先ず、図６において符号１００はトレイ複合体を示し、符号１０１は下段側トレイを、符号１０２は上段側トレイを、それぞれ示している。上段側トレイ１０２は、下段側トレイ１０１に対してスライド変位可能に設けられており、スライドすることにより、上述した上段側トレイ５５のように給送可能位置と退避位置とを変位する。尚、符号１０１ａは、上述した分離斜面１６に相当する分離斜面である。上下一体型のトレイの場合、図２の分離斜面１６は下段側トレイに一体に設けられることがある。また、符号１０３は上述したストッパー５６に相当するストッパーである。
【００６１】
また、記録が行われて排出された用紙を受ける排紙受けトレイを更に一体に備える場合もある。図７はその様なトレイを示すものであり、符号１１０はトレイ複合体を示し、符号１１１は下段側トレイを、符号１１２は上段側トレイを、それぞれ示している。上段側トレイ１１２は、下段側トレイ１１１に対してスライド変位可能に設けられており、スライドすることにより、上述した上段側トレイ５５のように給送可能位置と退避位置とを変位する。そして符号１１３は、下段側トレイ１１１に対して回動可能に連結された排紙受けトレイを示している。
【００６２】
排紙受けトレイ１１３は、ｘ方向両側の回動軸１１４（図７では一方側の回動軸１１４のみ図示）を中心に回動可能に設けられており、図７に示すように閉じた状態、即ち排紙される用紙を受ける状態と、開いた状態（不図示）、即ち下段側トレイ１１１の用紙収容領域を大きく開放する状態とを取り得る。  
尚、排紙受けトレイ１１３は、図７の例では下段側トレイ１１４に対して設けられているが、上段側トレイ１１２に対して設けられていても良い。またその際、上段側トレイ１１２に対して回動せずに、固定的に設けられていても良い。
【００６３】
以上のように複数のトレイを備える場合、種々の形態をとることができ、そして以降説明する各実施形態についても、上述した各形態のトレイ、およびその他種々の形態のトレイに対し、適用することができる。
【００６４】
■■■３．プリンタドライバプログラム■■■■■■■■■■■■■■■■■■■■■  
続いて図９〜図１３を参照しながらプリンタドライバプログラムについて説明する。  
ここで、図１０及び図１１はトレイが挿抜された際の制御の流れを示すフローチャート、図１２及び図１３は本発明に係るプリンタドライバプログラムによって提供されるユーザインタフェースの一例を示す図である。
【００６５】
先ず、図９を参照しながら制御部６６を含む構成について説明する。プリンター１は、上述した記録機構部６７を制御する制御手段として、ＲＡＭ、ＲＯＭ等の記憶手段（不図示）やＣＰＵ等の演算処理手段（不図示）などを備えて成る制御部６６を備えており、記憶手段に保存されたプログラム（本発明に係るプリンタドライバプログラムを含む）を制御部６６で実行できる様になっている。
【００６６】
プリンター１は、各種記録条件を設定する為のユーザインタフェースや印刷すべき画像などの各種情報を表示する表示部（ＬＣＤパネルなどから成る）６８と、電源ボタンや印刷実行ボタン、また各種記録条件を設定する為の操作ボタン等からなる操作設定部６９と、を備えており、これら装置外面のユーザインタフェース類と制御部６６が接続されている。制御部６６には、操作設定部６９からの入力情報が送信される。制御部６６は、表示部６８の表示内容を制御する情報を送信する。尚、表示部６８と操作設定部６９は、上述したようにそれぞれ操作パネル５（図１）に設けられている。
【００６７】
次に、プリンター１は、下段側トレイ５０の着脱を検出する下段側トレイ着脱センサー６１と、上段側トレイ５５の着脱を検出する上段側トレイ着脱センサー５９と、上段側トレイ５５の位置を検出する上段側トレイ位置センサー３０と、下段側トレイ５０或いは上段側トレイ５５の用紙有無を検出する用紙有無センサー６３Ａと、を備えている。制御部６６は、これらセンサーから送信される信号情報をもとにして、下段側トレイ５０及び上段側トレイ５５が装着されているか否か、また、上段側トレイ５５が給送可能位置（図２）にあるか或いは退避位置（図３）にあるか否かを把握できるようになっている。
【００６８】
下段側トレイ着脱センサー６１と、上段側トレイ着脱センサー５９と、上段側トレイ位置センサー３０は、複数のトレイのうちいずれが給送可能状態であるかを検出するトレイ検出手段を構成する。また、用紙有無センサー６３Ａは、給送可能状態であるトレイ内の用紙有無を検出する媒体検出手段を構成する。
【００６９】
これらセンサーは、公知のセンサーを用いることができる。具体的には、接触式のセンサーであっても良いし、非接触式のセンサー（例えば、光学センサー）であっても良い。また、上記各センサーは、必ずしも１つのセンサーにより構成されるとは限らず、複数のセンサーで構成しても良い。この様に上記各センサーは、種々の実施形態を採り得る。上記上段側トレイ位置センサー３０は、後に符号３１、３２、３３、３４、３５Ａ、３５Ｂ（図１８〜図２４）を用いて説明するセンサーに代えることができる。また用紙有無センサー６３Ａは、後に符号６３Ｂ（図１６）を用いて説明するセンサーに代えることができる。以上の各センサーについての詳細（構成、配置位置等）、及びそのバリエーションについては、後に詳述する。
【００７０】
尚、図５〜図７を参照しつつ説明したように、トレイは種々の形態を取りうる。特に、図６及び図７は、上下トレイが一体に構成されたものであり、この様に上下トレイが一体に構成された場合、下段側トレイが装着されていれば、これは即ち上段側トレイが装着されていることになる為、図９に示す上段側トレイ着脱センサー５９は省略することができる。  
この場合、即ち上下トレイが一体に構成されている場合には、上段側トレイ位置センサー３０が、複数のトレイのうちいずれが給送可能状態であるかを検出するトレイ検出手段を構成することとなる。
【００７１】
次に、記録機構部６７にはその他各種センサー類、例えば、用紙の通過を検出するセンサー等が設けられ、その各種センサー類からの検出情報も制御部６６に送られる様になっているが、その詳細は省略する。
【００７２】
次に、プログラムによって実現されるプリンタドライバ７０は、ＵＩ情報編集部７１と、表示制御部７２とを備えており、ＵＩ情報編集部７１がＵＩ情報管理機能を提供する。ここでＵＩ情報は、表示部６８に表示すべきＵＩ情報、例えば、印刷条件設定項目を示す情報や、当該項目に対応するＧＵＩウィジェットの種類、配置、大きさ、操作時のアクションなどを定義した情報等である。
【００７３】
ＵＩ情報編集部７１は、ＵＩ情報を編集する機能を制御部６６に実現させるモジュールであり、ユーザーに、印刷条件設定項目を取捨選択させたりする為のユーザインタフェース情報を編集する。
【００７４】
ＵＩ情報には、印刷条件設定項目（例えば画像選択、画質選択、印刷レイアウト選択、印刷枚数選択、用紙サイズ選択、用紙種類選択、トレイ選択（後述）など）の識別子や、当該識別子に対応するＧＵＩウィジェット（ラジオボタン、チェックボックス、ドロップダウンリストや、印刷条件設定項目を示すテキストなど）のレイアウト情報や初期値、当該ＧＵＩウィジェットを操作したときのアクションを規定するプログラムモジュールへのパス情報などが含まれている。ＵＩ情報は制御部６６が備える記憶手段に保存され、プリンタドライバ７０によって参照及び書き換えが可能である。
【００７５】
表示制御部７２は、ＵＩ情報編集部７１で編集されたＵＩ情報に基づいて表示部６８にＵＩを表示させるモジュールである。以上により、表示部６８に表示されたＵＩを介してユーザーが設定した印刷条件に基づいて、プリンタドライバ７０は、印刷対象の画像データを、記録機構部６７が印刷を実行するための印刷データに変換する。
【００７６】
尚、プリンター１は、外部情報機器７５との通信インタフェースも有しており、外部情報機器７５から送信される情報に従って各種設定や印刷を実行可能となっている。従って外部情報機器７５もプリンタドライバを備えており、ユーザー操作により、或いはプリンター１からの指示により、印刷条件などを設定するためのＵＩを外部情報機器７５が備える表示装置（不図示）に表示し、印刷条件の設定などのユーザーの指示を受け付ける。尚、外部情報機器７５は、一例として外部コンピューターや、携帯情報端末等が挙げられる。
【００７７】
尚、外部情報機器７５で動作するプリンタドライバは、プリンター１と外部情報機器７５との間の通信インタフェースを介して、プリンター１内部の情報（例えば、上述した各種センサーによる各種状態検出情報）を取得でき、この様な点においてプリンター１が備えるプリンタドライバ７０と同様である。プリンター１が備えるプリンタドライバ７０と、外部情報機器７５が備えるプリンタドライバは、本発明に係るプリンタドライバの一実施例である。
【００７８】
次いで、プリンタドライバ７０（或いは外部情報機器７５が備えるプリンタドライバ）の処理によるＵＩ表示例を、図１２及び図１３を用いて説明する。尚、図１２及び図１３に示すＵＩ表示例は、プリンター１が備えるプリンタドライバ７０により実現されるものとして説明する。但し、外部情報機器７５が備えるプリンタドライバにより実現されるものも同様である。尚その場合、ＵＩ表示例は、図１２及び図１３に示されるものとは異なるものとすることもできる。
【００７９】
図１２及び図１３に示す印刷設定ウィンドウ２００は、各種印刷設定をユーザーに選択させるためのウィンドウであり、また、各トレイにセットされている用紙をユーザーに選択・登録させるためのウィンドウでもある。この印刷設定ウィンドウ２００は、ユーザー操作により発現させることができるほか、上段側トレイ５０或いは下段側トレイ５５の挿抜を契機にして自動的に発現されるように設定されている。
【００８０】
印刷設定ウィンドウ２００には、基本設定、ページ設定、ユーティリティ、の各タブが設けられており、基本設定タブには、図示するように印刷種類、品質等を設定するプリント設定グループ２０１や、給紙方法、用紙サイズを設定する給紙設定グループ２０２が表示される。
【００８１】
このうち、給紙設定グループ２０２に属する「給紙方法」のドロップダウンリスト２０４と、ドロップダウンリスト２０４に表示されたトレイの用紙有無を示す表示２０３が本発明に関連する部分である。ドロップダウンリスト２０５では、用紙サイズを選択できる様になっている。
【００８２】
ドロップダウンリスト２０４は、図１２に示すように「下トレイ」と、図１３に示すように「上トレイ」のいずれか選択できるように設定されている。尚、「下トレイ」とは下段側トレイ５０を意味し、「上トレイ」とは上段側トレイ５５を意味するものである。
【００８３】
ここで、このドロップダウンリスト２０４の表示は、下段側トレイ着脱センサー６１と、上段側トレイ着脱センサー５９と、上段側トレイ位置センサー３０と、のこれらセンサー（以下適宜「トレイ検出センサー群」と略称する）の検出情報に応じて、以下の様にして設定される。プリンタドライバ７０のＵＩ情報編集部７１は、トレイ検出センサー群によるトレイの検出情報が、上段側トレイ５５が給送可能位置（図２）にあること、即ち給送可能状態にあるトレイが上段側トレイ５５であることを示すとき、ドロップダウンリスト２０４の表示を図１３に示すように「上トレイ」に設定する。
【００８４】
そしてこのとき、給送可能状態にあるトレイ、即ち上段側トレイ５５の用紙有無を、用紙有無センサー６３Ａからの情報に基づき判断し、その結果を表示２０３に表示する。図１３の例では、一例として用紙ありの状態を示している。  
尚このとき、用紙サイズを選択するドロップダウンリスト２０５は、一例として前回設定時の内容を表示する。
【００８５】
また逆に、トレイ検出センサー群によるトレイ検出情報が、上段側トレイ５５が退避位置（図３）にあること、即ち給送可能状態にあるトレイが下段側トレイ５０であることを示すとき、ドロップダウンリスト２０４の表示を図１２に示すように「下トレイ」に設定する。
【００８６】
そしてこのとき、給送可能状態にあるトレイ、即ち下段側トレイ５０の用紙有無を、用紙有無センサー６３Ａからの情報に基づき判断し、その結果を表示２０３に表示する。図１２の例では、一例として用紙なしの状態を示している。  
尚このとき、用紙サイズを選択するドロップダウンリスト２０５は、一例として前回設定時の内容を表示する。
【００８７】
以上の実施例では、用紙有無を表示する表示２０３において、用紙ありの場合は「用紙あり」を、用紙なしの場合は「用紙なし」をそれぞれ表示するが、例えば用紙なしの場合にのみ「用紙なし」の表示を行い、用紙ありの場合は、その旨の表示を省略しても良い。
【００８８】
以上の通り、プリンタドライバ７０が備えるＵＩ情報制御機能であるＵＩ情報編集部７１は、複数のトレイのうちいずれのトレイの情報を設定するかを選択するトレイ選択項目であるドロップダウンリスト２０４の表示を、検出した給送可能状態であるトレイに設定し、更に給送可能状態であるトレイ内の用紙有無に関する情報を表示２０３に表示する。これにより、ＵＩ情報においてユーザーが使用を予定するトレイ（ユーザーが使用する可能性が高いトレイ）をその都度選択する必要がないとともに、給送可能な状態にあるトレイの情報（いずれのトレイが給送可能状態にあるか、およびそのトレイの用紙有無）をユーザーに知らせることができ、ユーザビリティのより一層の向上を図ることができる。
【００８９】
尚、給送可能状態であるトレイ内の用紙を検出しない場合、即ち用紙無しの場合には、その旨の情報を警告表示しても良い。そうすることで、ユーザビリティのより一層の向上を図ることができる。
【００９０】
その様な警告表示は、例えば、図１２の例では表示２０３を点滅表示させることで実現することができる。これにより、給送可能状態であるトレイ内に用紙が無い旨をより一層明確に警告することができる。
【００９１】
次いで、トレイ挿抜時の制御について図１０及び図１１を参照しつつ説明する。  
トレイ検出センサー群が下段側トレイ５０及び上段側トレイ５５の少なくともいずれかが挿抜されたことを検出すると（ステップＳ１０１）、プリンタドライバ７０は、用紙変更問い合わせ表示を行う（ステップＳ１０２）。この用紙変更問い合わせ表示は、図１２及び図１３に示した印刷設定ウィンドウ２００とは異なり、例えば「用紙を入れ替えましたか？」といった、ユーザーに対する問い合わせメッセージである。この問い合わせメッセージは、図１２及び図１３に示した印刷設定ウィンドウ２００に先だって表示するものである。
【００９２】
用紙入れ替えが行われていないと申告された場合は（ステップＳ１０３においてNo）、用紙入れ替えが行われていない申告を示すフラグFLGを”０”にセットし（ステップＳ１０５）、用紙入れ替えを行ったと申告された場合は（ステップＳ１０３においてYes）、用紙入れ替えの申告を示すフラグFLGを”１”にセットする（ステップＳ１０４）。  
このとき、ユーザーによる操作ミス（申告ミス）を救済するために、例えば用紙入れ替えの申告が行われた場合には、「用紙変更が選択されました。宜しいですか？」などの確認メッセージを出しても良い。用紙入れ替えが行われていないと申告された場合には、「用紙変更なしが選択されました。宜しいですか？」などの確認メッセージを出しても良い。
【００９３】
次いでトレイ検出センサー群により給送可能状態にあるトレイを検出し（ステップＳ１０６）、次いで給送可能状態にあるトレイの用紙有無を検出する（ステップＳ１０７）。  
このとき、用紙を検出しない場合は（ステップＳ１０８においてNo）、アラート表示を出す（ステップＳ１０９）。即ち、用紙を入れた筈のトレイが給送可能状態にないことから、異常と判断できるため、アラート表示を出す。
【００９４】
このアラート表示（ステップＳ１０９）は、例えば、上段側トレイ５５の場合であれば「給送可能状態にある上トレイに用紙がありません。トレイを確認してください。」と表示することができる。下段側トレイ５０の場合であれば、例えば「給送可能状態にある下トレイに用紙がありません。トレイを確認してください。」と表示することができる。
【００９５】
この様にプリンタドライバ７０は、給送可能状態であるトレイ内の用紙を検出しない場合、給送可能状態であるトレイに関する情報の設定を禁止する。これにより、ユーザーの操作ミス（用紙のセット忘れや、トレイの操作ミスなど）による情報の誤設定の防止を図ることができる。
【００９６】
続いて、給送可能状態にあるトレイが、前回データ設定した際のトレイと同じか否かを判断し（ステップＳ１１０）、同じであれば（ステップＳ１１０においてYes）、用紙変更の有無を示すフラグFLGが”０”であるかを判断し（ステップＳ１１１）、”０”であれば（ステップＳ１１１においてYes）、処理を終了する。
【００９７】
即ちプリンタドライバ７０は、挿抜されたトレイの用紙サイズ或いは用紙種類を変更したか否かをユーザーに問い合わせ（ステップＳ１０２）、前記問い合せの結果、否の情報を受けた場合に（ステップＳ１０３においてNo：フラグFLG＝０）、給送可能状態であるトレイが前回情報を設定した際のトレイと同じであって（ステップＳ１１０においてYes）且つ給送可能状態であるトレイ内の用紙を検出した場合（ステップＳ１０８においてYes）、前回設定した用紙情報を引き継ぐ。
【００９８】
つまり、例えばユーザーが用紙を変更せずに単にトレイに同じ用紙を補充したような場合には、トレイ（用紙）に関する情報を設定する必要がない。そこでプリンタドライバ７０は、この様な場合は前回設定した情報を引き継ぐ。これにより、ユーザーに余計な設定操作を強いることを回避できる。  
尚、前回情報を設定したトレイが下段側トレイ５０或いは上段側トレイ５５であるかは、情報として保持されており、具体的には後述するステップＳ１１９やステップＳ１２３でデータ更新される。
【００９９】
次いで給送可能状態にあるトレイが、前回データ設定した際のトレイと同じか否かを判断した結果、異なれば（ステップＳ１１０においてNo）、次いで図１１のステップＳ１１２に移り、用紙変更の有無を示すフラグFLGが”０”であるかを判断する。その結果”０”であれば（ステップＳ１１２においてYes）、アラート表示を行う（ステップＳ１１３）。
【０１００】
このアラート表示（ステップＳ１１３）は、例えば、「前回設定トレイと今回設定トレイが異なりますが、用紙の変更は選択されていません。宜しいですか？」といったアラート表示を採用することができる。これにより、ユーザー操作ミスを救済することができる。  
このアラート表示を受けて、ユーザーが「ＯＫ」を選択すれば（ステップＳ１１４においてYes）、ステップＳ１１５以降に進み、「ＮＯ」を選択すれば（ステップＳ１１４においてNo）、フローの最初に戻る。
【０１０１】
続いて、給送可能状態にあるトレイが下段側トレイ５０の場合、下段側トレイ５０の設定データを読み込む（ステップＳ１１５、Ｓ１１６）。この設定データは、下段側トレイ５０に関して前回設定され、保存された設定データであり、例えば図１２及び図１３のドロップダウンリスト２０５を表示させる為のデータである。また、上段側トレイ５５についても同様に、給送可能状態にあるトレイが上段側トレイ５５の場合、上段側トレイ５５の設定データを読み込む（ステップＳ１１５、Ｓ１２０）。
【０１０２】
次いで、図１２或いは図１３に示した印刷設定ウィンドウ２００を表示し、その際、上述したように給送可能状態にあるトレイ、及び給送可能状態にあるトレイの用紙有無表示を行う（ステップＳ１１７、Ｓ１２１）。  
そして用紙設定が変更された場合（ステップＳ１１８においてYes、或いはステップＳＳ１２２においてYes）、下段側トレイ５０であれば下段側トレイのデータ更新を行い（ステップＳ１１９）、上段側トレイ５５であれば上段側トレイのデータ更新を行う（ステップＳ１２３）。
【０１０３】
以上のようにして、プリンター１では、どのトレイにどの様な用紙が収容されているかの情報が記憶され、保持される。尚、図１２、図１３の実施例では、用紙サイズを入力するようになっているが、これに代えて、或いはこれに加えて、用紙種別（例えば、普通紙、光沢紙、等々）を入力するようにしても良い。  
そして、後の印刷実行時に、ドライバ情報に含まれる用紙サイズと、上下トレイに収容されている用紙サイズとが適合するかを判断し、適合する場合には、印刷を実行する。適合しない場合には、その旨のアラート表示を行う。このアラート表示は、プリンター１が備える表示部６８に表示するほか、更に外部情報機器７５が備える表示部に表示しても良い。
【０１０４】
以上説明したプリンタドライバの機能は、図５〜図７に示す各種トレイ形態のいずれを備える場合であっても提供でき、更にその他のトレイ形態を備える場合であっても提供することができる。
【０１０５】
■■■４．トレイ内の用紙有無を検出する用紙検出手段■■■■■■■■■■■■■■  
続いて、トレイ内の用紙有無を検出する用紙検出手段について、図１４〜図１７を参照しつつ説明する。  
図１４（Ａ）、図１４（Ｂ）は、トレイ内の用紙有無を検出する用紙検出手段の一実施形態を示す、トレイ側断面図であり、図１５及び図１６はローラー支持部材と用紙検出手段の位置関係の一実施例を示す斜視図、図１７（Ａ）、図１７（Ｂ）はトレイ内の用紙有無を検出する用紙検出手段の一実施形態を示す、トレイ側断面図である。
【０１０６】
＜＜用紙検出手段の第１実施形態＞＞  
図１４及び図１５は用紙検出手段の第１実施形態である。用紙有無センサー６３Ａは、発光部と受光部とを備える光学センサーであり、発光部から発せられた検出光が各トレイに収容された用紙のうち最上位の用紙で反射し、反射した検出光を受光部が受光する際の受光強度に基づき、制御部６６が用紙有無を判断する。
【０１０７】
本実施形態において用紙有無センサー６３Ａは、ローラー支持部材１１の上方に位置する案内部材２６において、下段側トレイ５０及び上段側トレイ５５の双方と対向可能な位置に、固定的に設けられる。
【０１０８】
尚、符号４９ａは、下段側トレイ５０の底面５０ａにおいて用紙有無センサー６３Ａと対向する位置に設けられる反射シールであり、符号４９ｂは、上段側トレイ５５の底面５５ａにおいて用紙有無センサー６３Ａと対向する位置に設けられる反射シールである。反射シール４９ａ、４９ｂは、用紙Ｐよりも反射光強度が低くなる様に、例えば黒色で形成されている。これにより、用紙有無センサー６３Ａの検出光の受光強度は、図１４（Ａ）の上段側トレイ用紙無しの場合と、図１４（Ｂ）の下段側トレイ用紙無しの場合とが、上下トレイに用紙がある場合（図２、図３の場合）よりも低くなる。  
これにより制御部６６は、下段側トレイ５０或いは上段側トレイ５５の用紙有無を検知することができる。
【０１０９】
尚、用紙無しの場合に用紙有無センサー６３Ａの検出光が照射する面は、上記実施例では反射シール４９ａ、４９ｂであるが、直接各トレイの底面（５０ａ、５５ａ）を照射するようにしても良い。また、各トレイの底面には摩擦部材４８ａ、４８ｂが設けられているので、この摩擦部材４８ａ、４８ｂを照射するようにしても良い。
【０１１０】
また、用紙有無センサー６３Ａの検出光が、図１５に示すようにローラー支持部材１１の外側を通る様にしても良いし、或いは図１６に示すようにローラー支持部材１１を貫通するようにしても良い。図１６において符号１１ａは、用紙有無センサー６３Ａの検出光Ｔを貫通させる窓穴である。
【０１１１】
また、用紙有無センサー６３Ａは、使用が想定される用紙サイズのうち最も小さいサイズの用紙と対向可能な位置に設けることも好適である。この様にすることで、使用が想定される全てのサイズの用紙の有無を検知することができる。
【０１１２】
また、上記実施形態では、用紙有無センサー６３Ａを案内部材２６に設けたが、その他の部材、例えば図２に示した案内部材２７や、仕切部材２８に設けても良い。尚、仕切部材２８は、上下トレイの収容空間を形成する板状の部材である。  
更に、用紙有無センサー６３Ａは、上段側トレイ５５の上方に位置するその他の部材に設けても良い。その様な部材としては、例えば、ローラー支持部材１１を支持するフレーム材などの各種フレームや、図２には示されない、その他の用紙案内部材が挙げられる。
【０１１３】
＜＜用紙検出手段の第２実施形態＞＞  
図１７（Ａ）、図１７（Ｂ）は、用紙検出手段の第２実施形態である。用紙検出手段としての用紙有無センサー６３Ｂは、上記実施形態とは異なり、本実施形態ではローラー支持部材１１に設けられている。これにより、制御部６６は、用紙有無センサー６３Ｂの検出情報をもとに、各トレイの用紙有無を把握することができる。
【０１１４】
■■■５．給送可能状態であるトレイを検出するトレイ検出手段■■■■■■■■■■  
続いて、給送可能状態であるトレイを検出するトレイ検出手段について、図１８〜図２４を参照しつつ説明する。  
図１８、図１９（Ａ）、（Ｂ）、図２０（Ａ）、（Ｂ）は給送可能状態であるトレイを検出するトレイ検出手段の一実施形態を示す、トレイ側断面図である。図２１、図２２、図２３は、給送可能状態であるトレイを検出するトレイ検出手段の一実施形態を示す、トレイ斜視図である。また図２４（Ａ）、（Ｂ）および図２５（Ａ）、（Ｂ）は、給送可能状態であるトレイを検出するトレイ検出手段の一実施形態を模式的に示す、トレイ側断面図である。
【０１１５】
＜＜トレイ検出手段の第１実施形態＞＞  
図１８はトレイ検出手段の第１実施形態である。図１８において符号３０はローラー支持部材１１の姿勢を検知する為の姿勢センサーであり、検出部３０ａとロータリースケール３０ｂとを備えて成る。ロータリースケール３０ｂはローラー支持部材１１の揺動軸である回動軸１２と同軸で設けられており、制御部６６は、姿勢センサー３０による検出情報をもとにして、ローラー支持部材１１の姿勢、即ち給送可能状態にあるトレイ（給送ローラー９が接しているトレイ）が下段側トレイ５０及び上段側トレイ５５のいずれであるかを検知することができる。
【０１１６】
＜＜トレイ検出手段の第２実施形態＞＞  
図１９（Ａ）、（Ｂ）はトレイ検出手段の第２実施形態である。図１９（Ａ）、（Ｂ）において符号３１はローラー支持部材１１の姿勢を検知する為の姿勢センサーであり、揺動軸３１ａを中心に揺動するアーム部３１ｂと、アーム部３１ｂの揺動を検出する不図示の検出手段（接点オンオフ式、或いは光学式）とを備えて成る。
【０１１７】
給送可能状態にあるトレイが上段側トレイ５５である場合、図１９（Ａ）に示す様にアーム部３１ｂとローラー支持部材１１との成す角度は小さくなり、給送可能状態にあるトレイが下段側トレイ５０である場合、図１９（Ｂ）に示すようにアーム部３１ｂとローラー支持部材１１との成す角度は大きくなる。不図示の検出手段は、図１９（Ａ）及び図１９（Ｂ）のいずれか一方の状態でオンとなり、他方の状態でオフとなる。制御部６６は、姿勢センサー３１による検出情報をもとにして、ローラー支持部材１１の姿勢、即ち給送可能状態にあるトレイ（給送ローラー９が接しているトレイ）が下段側トレイ５０か上段側トレイ５５かを検知することができる。
【０１１８】
＜＜トレイ検出手段の第３実施形態＞＞  
図２０（Ａ）、（Ｂ）はトレイ検出手段の第３実施形態である。図２０において符号３２はローラー支持部材１１の姿勢を検知する為の姿勢センサーであり、案内部材２６に設けられた検出部３２ａ（接点オンオフ式、或いは光学式）と、ローラー支持部材１１に設けられた突起３２ｂと、を備えて構成されている。
【０１１９】
給送可能状態にあるトレイが上段側トレイ５５である場合、図２０（Ａ）に示す様に突起３２ｂが検出部３２ａと係合し、給送可能状態にあるトレイが下段側トレイ５０である場合、図２０（Ｂ）に示すように突起３２ｂが検出部３２ａから離れる。制御部６６は、姿勢センサー３２による検出情報をもとにして、ローラー支持部材１１の姿勢、即ち給送可能状態にあるトレイ（給送ローラー９が接しているトレイ）が下段側トレイ５０か上段側トレイ５５かを検知することができる。
【０１２０】
＜＜トレイ検出手段の第４、第５実施形態＞＞  
図２１はトレイ検出手段の第４実施形態である。図２１において符号３３は発光部と受光部とを備えて成る光学センサーであり、例えば図２〜図４に示す案内部材２６において上段側トレイ５５の用紙収容領域外と対向可能な位置に設けられる。符号４９ｃは、上段側トレイ５５の上面５５ｄにおいて光学センサー３４と対向可能な位置に設けられた反射シールである。
【０１２１】
反射シール４９ｃは、上段側トレイ５５が給送可能位置（図２）にあるときに、光学センサー３４と対向する場所に設けられている。従って制御部６６は、光学センサー３４による検出情報をもとにして、上段側トレイ５５が給送可能位置（図２）にあるか、或いはそれ以外の位置にあるかを検知することができる。
【０１２２】
尚、この実施例では、上段側トレイ５５が給送可能位置（図２）に位置することを検出することができるものの、例えば退避位置（図３）にあることを検知することができない。従って、上段側トレイ５５が退避位置（図３）にある状態、つまり下段側トレイ５０が確実に給送可能状態にあることを検知する手段を別途設けることも好適である。この場合、例えば図２１に示す光学センサー３４と反射シール４９ｃとを更に一組設けることが考えられる。
【０１２３】
また、図２２はトレイ検出手段の第５実施形態である。図２１を参照しつつ説明した第４実施形態と異なるのは、反射シール４９ｃがトレイ上面５５ｄではなく、トレイ側面５５ｅに設けられている点である。符号３４は、反射シール４９ｃを検出する光学センサーである。
【０１２４】
以上説明した例では、図２１では反射シール４９ｃを、図２２では反射シール４９ｄを、それぞれ用いているが、これら反射シールを用いずに、例えば図２１の例ではトレイ上面５５ｄを反射面としても良いし、図２２の例ではトレイ側面５５ｅを反射面としても良い。
【０１２５】
また、以上説明した第４、第５実施形態では、センサーとして光学センサーを用いているが、これに代えて、オンオフ式の機械的スイッチを設けても良い。例えば、図２１の反射シール４９ｃや、図２２の反射シール４９ｄに代えて、突起や凹部を設け、この突起や凹部と係合するスイッチを設けても良い。
【０１２６】
尚、図６及び図７に示した上下一体型のトレイでは、上段側トレイの側面が、下段側トレイによって隠れる。従って上下一体型のトレイの場合、図２３に示す様に、下段側トレイ１０１の側面１０１ａに切り欠き部（或いは窓穴でも良い）１０１ｄを設け、この切り欠き部１０１ｄを介して上段側トレイ１０１の側面を検知するようにしても良い。
【０１２７】
＜＜トレイ検出手段の第６、第７実施形態＞＞  
図２４（Ａ）はトレイ検出手段の第６実施形態である。図２４（Ａ）において符号３５Ａはスイッチであり、分離斜面１６が形成された分離部２ｃに設けられる。  
より詳しくは、分離部２ｃには窓穴２ｄが形成されており、この窓穴２ｄに、上段側トレイ５５のストッパー５６が入り込み、これによって上段側トレイ５５に収容された用紙の先端が分離斜面１６に接することが可能となる。尚、同様に下段側トレイ５０のストッパー５１が入り込む窓穴２ｅも形成されている。
【０１２８】
上段側トレイ５５が給送可能位置にスライドすると、ストッパー５６が窓穴２ｄに入り込み（符号５６’）、そして窓穴２ｄに設けられたスイッチ３５Ａを押す。従って制御部６６は、スイッチ３５Ａによる検出情報をもとにして、上段側トレイ５５が給送可能位置（図２）にあるか、或いはそれ以外の位置にあるかを検知することができる。
【０１２９】
尚、この実施例でも、上段側トレイ５５が給送可能位置（図２）に位置することを検出することができるものの、例えば退避位置（図３）にあることを検知することができない。従って、上段側トレイ５５が退避位置（図３）にある状態、つまり下段側トレイ５０が確実に給送可能状態にあることを検知する手段を別途設けることも好適である。この場合、例えば上段側トレイ５５が退避位置（図３）に位置することを検知するスイッチ或いは光学センサーなどを設けることが考えられる。
【０１３０】
図２４（Ｂ）はトレイ検出手段の第７実施形態である。上記第６実施形態と異なるのは、スイッチ３５Ａに代えて、発光部と受光部とを備えた光学センサー３５Ｂを用いる点である。上段側トレイ５５のストッパー５６には反射シール４９ｅが設けられており、制御部６６は、ストッパー５６が窓穴２ｄに入り込んだ際の（符号５６’）、反射光強度をもとにして、上段側トレイ５５が給送可能位置にあることを検知する。  
尚、反射光シール４９ｅを設けずに、直接ストッパー５６からの反射光を検知するように構成しても良い。
【０１３１】
また、以上の例では、上段側トレイ５５が給送可能位置にあることを検知する検知手段（３５Ａ、３５Ｂ）を説明したが、同様な検知手段を、下段側トレイ５０に対して設けても良い。この検知手段は、下段側トレイ５０のストッパー５１が入り込む窓穴２ｅに設けることができる。この様な検知手段は、下段側トレイ着脱センサー６１（図９）を構成することができる。
【０１３２】
＜＜トレイ検出手段の第８、第９実施形態＞＞  
図２５（Ａ）はトレイ検出手段の第８実施形態である。本実施形態において図２４に示した第６、第７実施形態と異なるのは、上下トレイとして図５に示した別体型を用いるのではなく、図６および図７に示した上下トレイ一体型を用いた点にあり、その他は、図２３に示した第６、第７実施形態と同様である。
【０１３３】
即ち、図２５（Ａ）においては、上段側トレイ１０２が給送可能位置にスライドすると、ストッパー１０３が、下段側トレイ１０１に一体に設けられた分離部１０４に形成された窓穴１０４ａに入り込み（符号１０３’）、そして窓穴１０４ａに設けられたスイッチ３５Ａを押す。従って制御部６６は、スイッチ３５Ａによる検出情報をもとにして、上段側トレイ１０２が給送可能位置（図２の上段側トレイ５５の位置に相当）にあるか、或いはそれ以外の位置にあるかを検知することができる。
【０１３４】
また、スイッチ３５Ａに代えて、図２５（Ｂ）に示すように発光部と受光部とを備えた光学センサー３５Ｂを用いても良い。上段側トレイ１０２のストッパー１０３には反射シール４９ｅが設けられており、制御部６６は、ストッパー１０３が窓穴１０４ａに入り込んだ際の（符号１０３’）、反射光強度をもとにして、上段側トレイ１０２が給送可能位置にあることを検知する。  
尚、反射光シール４９ｅを設けずに、直接ストッパー１０３からの反射光を検知するように構成しても良い。
【０１３５】
尚、この実施例でも、上段側トレイ１０２が給送可能位置にあることは検知できるが、退避位置にあることは検知できない。従って、上段側トレイ１０２が退避位置にある状態、つまり下段側トレイ１０１が確実に給送可能状態にあることを検知する手段を別途設けることも好適である。この場合、例えば上段側トレイ１０２が退避位置に位置することを検知するスイッチ或いは光学センサーなどを設けることが考えられる。
【０１３６】
以上、図５〜図７を参照しつつ上下トレイのバリエーションを説明し、図１４〜図１７を参照しつつ、上下トレイ内の用紙有無を検出する用紙検出手段の各実施形態を説明し、図１８〜図２４を参照しつつ、給送可能状態であるトレイを検出するトレイ検出手段の各実施形態について説明したが、上下トレイの各実施形態と、用紙検出手段の各実施形態と、トレイ検出手段の各実施形態は、全て組み合わせることができる。但し、図２４の実施例が上下トレイ別体型特有のものであり、図２５の実施例が上下トレイ一体型特有のものである点は除く。
【符号の説明】
【０１３７】
１  インクジェットプリンター、２  記録部（装置本体）、２ａ  収容部、２ｂ  内壁、２ｃ  分離部、２ｄ、２ｅ  窓穴、２f  ベース部、
３  スキャナユニット、４  原稿カバー、５  操作パネル、６  手差しカバー、７  手差しトレイ、８  排紙受けトレイ、
９  給送ローラー、１１  ローラー支持部材、１１ａ  窓穴、１２  回動軸、１３  伝達歯車、１４  歯車輪列、１５  被伝達歯車、１６  分離斜面、
１７  中間ローラー、１８Ａ〜１８Ｄ  従動ローラー、１９  搬送駆動ローラー、２０  搬送従動ローラー、
２１  支持部材、２２  キャリッジ、２３  記録ヘッド、２４  排出駆動ローラー、２５  排出従動ローラー、２６  案内部材、２７  案内部材、２８  仕切板、
３０  姿勢センサー、３０ａ  検出部、３０ｂ  ロータリースケール、３１  姿勢センサー、３１ａ  揺動軸、３１ｂ  アーム部、３２  姿勢センサー、３２ａ  検出部、３２ｂ  突起、３３、３４  光学センサー、３５Ａ  スイッチ、３５Ｂ  光学センサー、４８ａ、４８ｂ  摩擦部材、４９ａ〜４９ｅ  反射シール、
５０  下段側トレイ、５０ａ  底面、５０ｂ、５０ｃ  側壁、５１  ストッパー、５２  カバー、５３Ａ、５３Ｂ  エッジガイド、５４  エッジガイド、
５５  上段側トレイ、５５ａ  底面、５５ｂ、５５ｃ  側壁、５５ｄ  上面、５５ｅ  側面、５６  ストッパー、５７Ａ、５７Ｂ  エッジガイド、
５９  上段側トレイ着脱センサー、６１  下段側トレイ着脱センサー、６３Ａ、６３Ｂ  用紙有無センサー、
６６  制御部、６７  記録機構部、６８  表示部、６９  操作設定部、
７０  プリンタドライバ、７１  ＵＩ情報編集部、７２  表示制御部、７５  外部情報機器、
８０  フラップ、８１  第２排出駆動ローラー、８２  第２排出従動ローラー、
１００  トレイ複合体、１０１  下段側トレイ、１０１ａ  分離斜面、１０２  上段側トレイ、１０３  ストッパー、１０４  分離部、１０４ａ  窓穴、
１１０  トレイ複合体、１１１  下段側トレイ、１１２  上段側トレイ、１１３  排紙受けトレイ、
２００  印刷設定ウィンドウ、２０１  プリント設定グループ、２０２  給紙設定グループ、２０３  用紙有無表示、２０４  ドロップダウンリスト、２０５  ドロップダウンリスト、
Ｐ、Ｐ１、Ｐ２  記録用紙
【図１】
2016049661.tif 000003
【図２】
2016049661.tif 000004
【図３】
2016049661.tif 000005
【図４】
2016049661.tif 000006
【図５】
2016049661.tif 000007
【図６】
2016049661.tif 000008
【図７】
2016049661.tif 000009
【図８】
2016049661.tif 000010
【図９】
2016049661.tif 000011
【図１０】
2016049661.tif 000012
【図１１】
2016049661.tif 000013
【図１２】
2016049661.tif 000014
【図１３】
2016049661.tif 000015
【図１４】
2016049661.tif 000016
【図１５】
2016049661.tif 000017
【図１６】
2016049661.tif 000018
【図１７】
2016049661.tif 000019
【図１８】
2016049661.tif 000020
【図１９】
2016049661.tif 000021
【図２０】
2016049661.tif 000022
【図２１】
2016049661.tif 000023
【図２２】
2016049661.tif 000024
【図２３】
2016049661.tif 000025
【図２４】
2016049661.tif 000026
【図２５】
2016049661.tif 000027